(57)【要約】【課題】  簡単な構造によって、着心地が良くしかも窮屈感のない状態を長期間に渡って維持できる被服を提供する。【解決手段】  襟ボタン１５をボタンホール２０に係合させて襟前を合わせる被服１において、ボタンホール２０は、襟ボタン１５の係合に要する長さの通常係合孔２０ｃと、当該通常係合孔２０ｃよりも襟の開放側１４ａに位置する補助係合孔２０ｄを備え、通常係合孔２０ｃと補助係合孔２０ｄの間にボタンホールが閉鎖された閉鎖部２６が設けられた構成とされている。【選択図】    図２
2006028698.tif 000002
【特許請求の範囲】
【請求項１】
襟ボタンをボタンホールに係合させて襟前を合わせる被服において、
前記ボタンホールは、襟ボタンの係合に要する長さよりも長く、且つ、その中間部において一部が閉鎖された閉鎖部が設けられていることを特徴とする被服。
【請求項２】
襟ボタンをボタンホールに係合させて襟前を合わせる被服において、
前記ボタンホールは、襟ボタンの係合に要する長さの通常係合孔と、当該通常係合孔よりも襟の開放側に位置する補助係合孔を備え、前記通常係合孔と補助係合孔の間にボタンホールが閉鎖された閉鎖部が設けられることを特徴とする被服。
【請求項３】
前記閉鎖部は、被服の生地を切り残してボタンホールを閉鎖するものであることを特徴とする請求項１または２に記載の被服。
【請求項４】
前記閉鎖部は、糸によってボタンホールを縫い合わせてボタンホールを閉鎖するものであることを特徴とする請求項１または２に記載の被服。
【発明の詳細な説明】
【技術分野】
【０００１】
本発明は、長期間に渡って着心地の良い状態を維持可能な被服に関する。
【背景技術】
【０００２】
ワイシャツなどの被服を選択する際は、体型に合った適切なものを選ぶ必要がある。
則ち、着用者の襟回り、胸回り、肩幅、胴回り、裄丈などを予め採寸し、体型に適合した被服を選択しなければならない。ワイシャツなどを仕立てる場合も同様である。
【０００３】
ワイシャツが小さいと、動きが阻害されて窮屈であり、着心地が悪く見栄えも悪い。逆に、ワイシャツが大きいと、だぶついて動き難く、やはり着心地も見栄えも悪くなる。中でも、襟周りがきついときは息苦しく窮屈である。このため、襟周りなどのサイズが適合したワイシャツを選択することが肝要である。
【０００４】
図１０は、従来のワイシャツ１００の正面図および部分拡大図である。
従来のワイシャツ１００は、図１０（ａ）の様に、台襟１０１の上縁に沿って折り返した襟１０２が設けられ、襟前１０３の下前１０４にボタン１０６が取り付けられると共に、ボタン１０６に対応した上前１０５にボタンホール１０７が設けられている。
【０００５】
体型に適合したワイシャツ１００を着用すると、図１０（ｂ）の様に、ボタン１０６の中心がボタンホール１０７の左端１０７ａから僅かに右端１０７ｂ側へ寄った部位に位置する。また、着用者の動きに応じて襟前１０３が広がると、下前１０４と上前１０５が互いに離れ、ボタン１０６の中心がボタンホール１０７の左端１０７ａに移動する。
則ち、体型に適合したワイシャツ１００は、首周りへの台襟１０１の適度のフィット感が得られて着心地が良く、しかも着用者の動きに対して襟周りに余裕があり窮屈さを感じることがない。
【０００６】
しかし、体型に適合したワイシャツであっても、洗濯後に生地が縮むことがある。また、着用者の体型が変化することもある。このような要因で襟周りがきつくなると、体型に適合したワイシャツを選択したにも拘わらず息苦しく、着心地が著しく低下する。
また、襟前がきついためにボタンを外したままネクタイを装着することとなり、見栄えが悪くなる。このため、充分使用できるワイシャツであっても着用できなくなり、同一サイズのものを購入しているときは、それらが使用できなくなる。
【０００７】
そこで、洗濯による生地の収縮や体型の変化によっても、襟周りの窮屈感を緩和することのできるワイシャツが提案されている。
特許文献１には、襟周りの窮屈感を緩和させる構造のワイシャツが開示されている。
特許文献１に開示されたワイシャツは、襟前のボタンホールの長さを通常よりも長くすることにより、襟周りに余裕を持たせたものである。
また、特許文献１に開示された別のワイシャツは、ボタンホールを設けた別の布地を襟前に宛がうことにより、襟周りに余裕を持たせつつ見栄えが悪くなることを改善したものである。
【特許文献１】実用新案登録第３０７２０９４号公報
【発明の開示】
【発明が解決しようとする課題】
【０００８】
ところが、特許文献１に開示されたワイシャツは、単に、襟周りの余裕を拡大しただけに過ぎず、窮屈感は緩和されるものの、襟周りの適度のフィット感を得ることのできるものではなく、着心地に問題を残すものであった。
また、特許文献１に開示された別のワイシャツは、着用時の見栄えは向上するものの、襟周りの適度のフィット感が得られない上に構造が複雑であり、着心地および製造コストの面で問題を残していた。
【０００９】
本発明は、前記事情に鑑みて提案されるもので、極めて簡単な構造によって、着心地が良くしかも窮屈感のない状態を長期間に渡って維持できる被服を提供することを目的としている。
【課題を解決するための手段】
【００１０】
前記目的を達成するために提案される請求項１に記載の発明は、襟ボタンをボタンホールに係合させて襟前を合わせる被服において、ボタンホールは、襟ボタンの係合に要する長さよりも長く、且つ、その中間部において一部が閉鎖された閉鎖部が設けられた構成とされている。
【００１１】
ここに、本発明で言う被服とは、ワイシャツやポロシャツなどの被服を含むものであるが、なかでも、襟前の合わせ状態によって首周りの窮屈さが発現し易いワイシャツなどの被服を指す。
【００１２】
本発明によれば、ボタンホールは閉鎖部によって二つの領域に区分される。従って、一方の領域を襟ボタンの係合に用いる領域とすれば、他方の領域は襟ボタンを係合する領域として機能しない。一方、ボタンホールから閉鎖部を取り除くと、閉鎖部によるボタンホールの領域区分が解除される。
【００１３】
則ち、本発明によれば、閉鎖部を設けた状態と取り除いた状態とで、ボタンホールにおける襟ボタンの係合領域を変化させることができ、これによって、首周り長さに応じた襟前の合わせ状態を確保することが可能となる。
【００１４】
本発明において、閉鎖部によって区分される領域のうち、襟ボタンの係合機能を持たない領域に、更に別の閉鎖部を追加して設けた構成を採ることも可能である。この構成によれば、閉鎖部を順次取り除くことにより、襟ボタンの係合機能を有する領域を段階的に拡大することができる。これにより、襟前の合わせを首周り長さに応じた最適な状態に長期間維持することが可能となる。
【００１５】
また、本発明において、襟ボタンの係合機能を持たせない領域の全てに閉鎖部を設ける構成を採ることも可能である。この構成によれば、閉鎖部を取り除いていくに連れて襟ボタンの係合機能を有する領域を次第に拡大することができ、首周り長さに応じて最適な襟前の合わせ状態を長期間維持することが可能となる。
【００１６】
請求項２に記載の発明は、襟ボタンをボタンホールに係合させて襟前を合わせる被服において、ボタンホールは、襟ボタンの係合に要する長さの通常係合孔と、当該通常係合孔よりも襟の開放側に位置する補助係合孔を備え、通常係合孔と補助係合孔の間にボタンホールが閉鎖された閉鎖部が設けられた構成とされている。
【００１７】
本発明によれば、ボタンホールに閉鎖部が設けられているときは、通常係合孔によって襟ボタンの係合が行われ、補助係合孔は襟ボタンの係合に寄与しない。一方、ボタンホールから閉鎖部を取り除くと、通常係合孔と補助係合孔が繋がって一つの係合孔となり、襟ボタンの係合に寄与する領域が襟の開放側に位置する補助係合孔まで拡大される。
【００１８】
従って、襟ボタンを通常係合孔に係合させたときの襟周り長さを被服の襟周り寸法として表示することにより、着用者は、当該襟周り寸法を参照して体型に合った被服を選択することができる。これにより、襟周りが適度にフィットして着心地が良く、窮屈感を感じることがない。
【００１９】
一方、洗濯などに伴う生地の収縮や着用者の体型変化によって襟周りが窮屈になると、閉鎖部を取り除くことにより、襟ボタンの係合に寄与する領域が補助係合孔まで拡大される。これにより、襟周り長さが拡大されて窮屈感が取り除かれ、襟周りの適度のフィット感を回復することが可能となる。従って、被服の生地の収縮や着用者の体型変化が生じた場合でも、窮屈さを感じることなく着心地の良い状態を長期間維持することが可能となる。
【００２０】
請求項３に記載の発明は、請求項１または２に記載の被服において、閉鎖部は、被服の生地を切り残してボタンホールを閉鎖する構成とされている。
【００２１】
本発明によれば、ボタンホールを形成する際に、生地の切り残し部位を設けるだけで閉鎖部を形成することができ、閉鎖部が目立たないうえに、閉鎖部を形成するための特別な部材が不要である。また、切り残された生地を切断するだけで閉鎖部を容易に取り除くことができる。
これにより、請求項１または２に記載した被服を容易に実施することができ、省コスト化および製造性の向上を図ることが可能となる。
【００２２】
請求項４に記載の発明は、請求項１または２に記載の被服において、閉鎖部は、糸によってボタンホールを縫い合わせてボタンホールを閉鎖する構成とされている。
【００２３】
本発明によれば、生地の強度が低い場合であっても、ボタンホールの一部を縫い合わせることによって閉鎖部の強度を向上させることができる。また、縫い合わされた糸を切断するだけで閉鎖部を容易に取り除くことができる。
これにより、生地の強度が低い場合でも請求項１または２に記載した被服を容易に実施することが可能となる。
【００２４】
本発明において、閉鎖部を形成する際に、閉鎖部に位置する被服の生地は切断してもよく、切り残した状態にしても良い。
閉鎖部に位置する被服の生地を切り残すことにより、縫い合わされた糸に生地の強度が加わって、閉鎖部の強度を更に向上させることができる。
【００２５】
前記請求項２乃至４のいずれか１項に記載の被服において、閉鎖部を複数設けた構成を採ることもできる。
閉鎖部を複数設けた構成とすれば、襟周りの窮屈さの程度に応じて閉鎖部を順次取り除くことにより、襟前の合わせ状態を段階的に拡大することができ、首周りに最適にフィットした状態が維持されることとなり、着心地の良い状態を一層長期間維持することが可能となる。
【発明の効果】
【００２６】
請求項１，２に記載の発明によれば、生地の収縮や着用者の体型変化が生じた場合でも、襟周りのフィットした状態を長期間維持することができ、着用性に優れた被服を提供することができる。
請求項３，４に記載の発明によれば、簡単な構成によって請求項１，２に記載の被服を容易に実施することができ、製造性を向上しつつ省コスト化を図った被服を提供することが可能となる。
【発明を実施するための最良の形態】
【００２７】
以下に、図面を参照して本発明の実施形態を説明する。尚、以下の説明では、被服としてワイシャツを例に挙げて説明する。
図１は本発明の実施形態に係るワイシャツ１の襟周りの正面図、図２は図１に示すワイシャツ１の襟前近傍を襟ボタンを外した状態で示す拡大図、図３は図１に示すワイシャツ１のボタンホールの作成手順を示す説明図、図４は図１に示すワイシャツの閉鎖部を取り除く手順を示す説明図、図５は図１に示すワイシャツの閉鎖部を取り外した状態における襟前の正面図、図６は図５に示すワイシャツの襟前近傍を襟ボタンを外した状態で示す拡大図、図７は、ボタンホールの変形例を示す説明図である。また、図８，図９は、別の構成のボタンホールの作成手順を示す説明図である。
【００２８】
本実施形態のワイシャツ（被服）１は、前記図１０に示した従来のワイシャツ１００と基本的に同一の構造を有するが、ボタンホール２０の構造が異なる。
ワイシャツ１は、図１の様に、台襟１０の上縁に沿って折り返した襟１１が設けられ、襟前１２の下前１３に襟ボタン１５が取り付けられると共に、襟ボタン１５に対応した上前１４にボタンホール２０が設けられている。
【００２９】
ボタンホール２０は、図２の様に、上前１４に襟１１の周りに沿って設けられた直線状の開口であり、左端部２０ａは上前端部１４ａ（襟の開放側）に近接し、右端部２０ｂは上前端部１４ａから離れて位置する。
【００３０】
ボタンホール２０は、襟ボタン１５の係合に要する長さの通常係合孔２０ｃと、通常係合孔２０ｃよりも上前端部１４ａ側に位置する補助係合孔２０ｄを備え、通常係合孔２０ｃと補助係合孔２０ｄの間にボタンホール２０が閉鎖された閉鎖部２６が設けられている。閉鎖部２６は、後述するように、ボタンホール２０を形成する際に、被服の生地を切り残して形成されたものである。
【００３１】
則ち、ボタンホール２０は、従来のボタンホールを上前端部１４ａ側へ向けて延長した形状であり、本実施形態では、通常係合孔２０ｃが補助係合孔２０ｄの略２倍の長さとなるように閉鎖部２６を設けている。
また、本実施形態では、ボタンホール２０の通常係合孔２０ｃが、前記図１０に示した従来のワイシャツ１００のボタンホール１０７と略同一位置および略同一サイズとなるように、ボタンホール２０および閉鎖部２６を配している。
【００３２】
具体的には、ボタンホール２０の全長を略２５ｍｍとし、通常係合孔２０ｃの開口長が略１４ｍｍ、補助係合孔２０ｄの開口長が略８ｍｍとなるように閉鎖部２６を設けている。また、襟ボタン１５は、直径１０．５ｍｍ、厚さ２ｍｍのものを使用している。
【００３３】
次に、図３を参照してボタンホール２０の作成手順を説明する。尚、以下の手順では、ボタンホールの開口を形成するプレス式カッターを備えたボタンホール専用のミシンを用いるものとする。
まず、通常のボタンホール作成手順に従って、上前１４のボタンホール２０を設ける部位にボタンホール縢り２１を作成する。
【００３４】
則ち、図３（ａ）の様に、ボタンホールステッチなどによって一方のボタンホール縢り２３を直線状に作成し、ボタンホール縢り２３の端部にジグザグ縫いによって閂止め２４を作成する。続けて、閂止め２４から折り返してボタンホール縢り２３と所定間隔をあけつつボタンホール縢り２５を作成し、最後に、ボタンホール縢り２３の開始端部にジグザグ縫いによって閂止め２２を作成する。
これにより、ボタンホール縢り２３，２５の間に直線状に生地が露出した切り取りライン２１ａが形成されたボタンホール縢り２１が作成される。
【００３５】
次いで、図３（ｂ）の様に、プレス式カッター３０を操作して、閉鎖部２６を除く部位の生地を切り取りライン２１ａに沿って切断する。
本実施形態で使用するプレス式カッター３０は、図３（ｂ）の様に、閉鎖部２６を除く部分に直線状の刃３１ａ，３１ｂを有するカッター３１を備えており、当該カッター３１を切り取りライン２１ａに沿って押圧することにより、閉鎖部２６を除く部位の生地を切断している。
【００３６】
以上の手順により、図３（ｃ）の様に、本実施形態のボタンホール２０が完成する。
作成されたボタンホール２０は、通常係合孔２０ｃと補助係合孔２０ｄの間にボタンホール２０が閉鎖された閉鎖部２６が設けられた形状となり、当該閉鎖部２６は、切り残された生地が繋がったままとなる。
【００３７】
本実施形態では、左右の閂止め２２，２４を両端とする切り取りライン２１ａの全長を２２．５ｍｍに製し、襟ボタン１５の形状に対応させて、通常係合孔２０ｃの開口長を略１４ｍｍとしている。また、ボタンホール２０の通常係合孔２０ｃの設けられる位置は、従来のワイシャツに設けられるボタンホールの位置と略同一である。
【００３８】
従って、図３（ｃ）の様に、閉鎖部２６を設けたボタンホール２０は、通常係合孔２０ｃのみが襟ボタン１５の着脱に用いられる開口として機能する。
また、図３（ｃ）に示すボタンホール２０から閉鎖部２６を取り外して通常係合孔２０ｃと補助係合孔２０ｄを繋ぐことにより、ボタンホール２０の全長が襟ボタン１５の着脱に用いられる開口として機能する。
【００３９】
本実施形態のワイシャツ１は、図３（ｃ）のボタンホール２０を設けた状態で製品として提供される。則ち、図１の様に、ボタンホール２０の通常係合孔２０ｃに襟ボタン１５を掛け合わせた状態における襟周り長さを、当該ワイシャツ１の襟周り長さとして表示して製品として提供される。
これにより、着用者は、表示される襟周り長さを参照することにより、自分の体型に適合したワイシャツ１を求めることができる。
【００４０】
着用者がワイシャツ１を着用すると、襟周り長さが適合しているので、図１の様に、襟ボタン１５をボタンホール２０（通常係合孔２０ｃ）に掛け合わせると、図２の様に、襟ボタン１５の中心が閉鎖部２６よりも僅かに右方に位置する（図２の右方の波線参照）。
【００４１】
また、着用者の姿勢に応じて下前１３と上前１４とが広がると、襟ボタン１５の中心が閉鎖部２６に当接するまで襟周りが広がる（図２の左方の波線参照）。
これにより、台襟１０が着用者の首周りに適度にフィットして着心地が良く、しかも、姿勢変化に伴う首周りへの圧迫感、窮屈感が生じることがない。
【００４２】
一方、ワイシャツ１の洗濯によって生地が縮んだり着用者の体型が変化すると、首周りが窮屈になることがある。本実施形態のワイシャツ１は、このような場合でも、ボタンホール２０の閉鎖部２６を取り除くことによって対応可能である。
【００４３】
ボタンホール２０の閉鎖部２６は、極めて容易に取り除くことができる。則ち、図４（ａ）の様に、ハサミ３２などの汎用工具をボタンホール２０の閉鎖部２６に宛がい、閉鎖部２６の生地を中央部で切断するだけで閉鎖部２６を取り除くことができる。
【００４４】
図４（ａ）の様にしてボタンホール２０から閉鎖部２６を取り除くと、図４（ｂ）の様に、通常係合孔２０ｃと補助係合孔２０ｄが繋がって係合孔２０ｅが形成される。
則ち、閉鎖部２６を取り除くと、ボタンホール２０は、通常係合孔２０ｃと補助係合孔２０ｄが繋がった係合孔２０ｅが襟ボタン１５を着脱する孔として機能する。
【００４５】
従って、ボタンホール２０から閉鎖部２６を取り除くと、図５，図６の様に、ボタンホール２０が上前端部１４ａ側に延長された状態と等価となる。
これにより、閉鎖部２６が設けられた状態において襟周りが最大となるときの襟ボタン１５の中心（図６の右方の波線参照）に比べて、閉鎖部２６を取り外した状態において襟周りが最大となるときの襟ボタン１５の中心（図６の左方の波線参照）がボタンホール２０の左端部２０ａまで拡大される。
【００４６】
これにより、生地の収縮によって減少したワイシャツ１の襟周り長さを、閉鎖部２６の取り外しによる等価的なボタンホール２０の拡大によって容易に補償することが可能となる。同様に、体型変化によって増大した首周り長さを、閉鎖部２６の取り外しによる等価的なボタンホール２０の拡大によって補償することが可能となる。
【００４７】
このように、本発明のワイシャツ１によれば、予め大きく形成したボタンホール２０に閉鎖部２６を設けただけの極めて簡単な構成により、快適な着心地が得られる上に、生地の収縮や体型変化によって襟周りに窮屈感が生じたときは、閉鎖部２６を取り外すだけで、窮屈感を取り除いて元の着心地を取り戻すことが可能となる。これにより、着心地の良い状態を長期間維持することが可能となる。
【００４８】
また、ボタンホール２０の生地の一部を切り残すだけで閉鎖部２６を形成することができ、閉鎖部２６を設けるための手間やコストが削減されて省コスト化、製造性の向上を図ることがかのうとなる。
【００４９】
ここで、本実施形態のワイシャツ１は、図３（ｃ）の様に、ボタンホール２０に閉鎖部２６を一つだけ設けた構成としたが、複数の閉鎖部を設けることも可能である。
例えば、図７（ａ）の様に、閉鎖部２６とボタンホール２０の左端部２０ａとの間に別の閉鎖部２７を追加した構成を採ることができる。このような閉鎖部２７を追加したボタンホール２０は、前記図３（ｂ）において、カッター３１を取り換えることによって容易に製することができる。
【００５０】
この構成によれば、襟周りが窮屈になったときには、閉鎖部２６から順に取り除くことにより、ボタンホール２０の開口長を上前端部１４ａ側へ向けて段階的に拡大することができる。これにより、ワイシャツ１の着用時の窮屈感に応じて最適な状態に調整することができ、襟周りが首に適度にフィットして着心地の良い状態を一層長期間維持することが可能となる。
【００５１】
また、図３（ｃ）に示したボタンホールの閉鎖部２６に代えて、図７（ｂ）の様に、ボタンホール２０の通常係合孔２０ｃを除く全ての部位の生地を切り残した閉鎖部２８を形成することも可能である。
この構成によれば、襟周りの窮屈さに応じて閉鎖部２８を必要なだけ切断することにより、通常係合孔２０ｃを次第に拡大することができ、窮屈感がなく着心地の良い状態を長期間維持することが可能となる。
【００５２】
ところで、本実施形態のワイシャツ１は、ボタンホール２０に生地を切り残して形成された閉鎖部２６を設けた構成としたが、このような閉鎖部２６とは異なる閉鎖部をボタンホール２０に設けることも可能である。
【００５３】
例えば、図８（ｃ）の様に、ボタンホール２０の一部を糸によって縫い合わせて閉鎖した閉鎖部２９を設けることもできる。この閉鎖部２９を設けたボタンホール２０は、次の手順によって作成することができる。
【００５４】
まず、図８（ａ）の様に、通常のボタンホール作成手順に従って、上前１４のボタンホール２０を設ける部位にボタンホール縢り２１を作成する。この手順は、前記図３（ａ）に示した手順と同一である。
【００５５】
続いて、図８（ｂ）の様に、閂止め２２の端部から右方へ向けて略８ｍｍの位置に、ボタンホール縢り２３，２５を跨ぐようにジグザグ縫いによって閉鎖部２９を作成する。
そして、プレス式カッター３０を操作して、ボタンホール縢り２１によって形成される切り取りライン２１ａのうち、閉鎖部２９の部位を除く切り取りライン２１ａに沿って生地を切断する。
【００５６】
以上の手順により作成されたボタンホール２０は、図８（ｃ）の様に、通常係合孔２０ｃと補助係合孔２０ｄの間が糸を縫い合わせた閉鎖部２９によって閉鎖された形状となり、閉鎖部２９の設けられる部位は生地が切り残されて繋がったままとなる。
【００５７】
この構成のボタンホール２０によれば、糸を縫い合わせて形成した閉鎖部２９によって通常係合孔２０ｃの端部強度が高く、しかも、当該閉鎖部２９は生地が切り残されたままである。従って、強度の低い生地であっても、通常係合孔２０ｃの端部強度を向上させることができ、着用中に閉鎖部２９が切断するような不具合を未然に防止することが可能である。
【００５８】
尚、図８では、糸を縫い合わせた閉鎖部２９を一つだけ設けた構成としたが、前記図７（ａ）で示した構成と同様に、糸を縫い合わせた別の閉鎖部を追加して設けることも可能である。
【００５９】
糸で縫い合わせた閉鎖部２９を有するボタンホール２０は、別の手順よっても製することもできる。
例えば、図９（ａ）の様に、ボタンホール縢り２１を作成した後に、リッパー３３などの工具を用いて切り取りライン２１ａに沿って生地を切断して係合孔２０ｅを形成し、その後に、係合孔２０ｅの側縁同士を糸で縫い合わせて閉鎖部２９を形成することもできる。
【００６０】
この手順でボタンホール２０を作成した場合は、閉鎖部２９の設けられる部位の生地は切断された状態となるが、糸で縫い合わせた閉鎖部２９によって通常係合孔２０ｃの端部強度を向上させることが可能となる。
【００６１】
以上、本発明の実施形態に係るワイシャツ１を説明したが、本発明のボタンホール２０は、ワイシャツに限らずポロシャツなどの被服にも適用することが可能である
また、前記実施形態で示したワイシャツ１は、ボタンホール２０の全長および配設位置をワイシャツ１のサイズに応じて適宜変更することが可能である。
【００６２】
また、前記実施形態では、ボタンホール２０のボタンホール縢り２３，２５を、ボタンホールステッチによって作成した例として示したが、通常のジグザグ編みを採用したり、他のステッチによって作成することも可能である。更に、前記実施形態では、ボタンホール専用のミシンを用いてボタンホール２０を作成する手順を示したが、手縫いによってボタンホール２０を作成することも可能である。
【００６３】
また、前記実施形態では、既製品のワイシャツ１を製する場合を例に挙げて示したが、ワイシャツ１を仕立てる場合であっても、前記した閉鎖部２６を設けたボタンホール２０を採用することにより、同様の効果を奏することが可能である。
【図面の簡単な説明】
【００６４】
【図１】本発明の実施形態に係るワイシャツの襟周りの正面図である。
【図２】図１に示すワイシャツの襟前近傍を、襟ボタンを外した状態で示す拡大図である。
【図３】（ａ）〜（ｃ）は、図１に示すワイシャツのボタンホールの作成手順を示す説明図である。
【図４】（ａ），（ｂ）は、図１に示すワイシャツ１のボタンホールの閉鎖部を取り外す手順を示す説明図である。
【図５】図１に示すワイシャツの閉鎖部を取り外した状態における襟周りの正面図である。
【図６】図７に示すワイシャツの襟前近傍を、襟ボタンを外した状態で示す拡大図である。
【図７】（ａ），（ｂ）は、ボタンホールの変形例を示す説明図である。
【図８】（ａ）〜（ｃ）は、別のボタンホールの作成手順を示す説明図である。
【図９】（ａ），（ｂ）は、更に別のボタンホールの作成手順を示す説明図である。
【図１０】（ａ）は従来のワイシャツの襟周りの正面図、（ｂ）はその襟前近傍を、襟ボタンを外した状態で示す拡大図である。
【符号の説明】
【００６５】
１      被服（ワイシャツ）
１２    襟前
１３    下前
１４    上前
１４ａ  襟の開放側（上前端部側）
１５    襟ボタン
２０    ボタンホール
２０ｃ    通常係合孔
２０ｄ    補助係合孔
２６，２７，２８，２９    閉鎖部
【図１】
2006028698.tif 000003
【図２】
2006028698.tif 000004
【図３】
2006028698.tif 000005
【図４】
2006028698.tif 000006
【図５】
2006028698.tif 000007
【図６】
2006028698.tif 000008
【図７】
2006028698.tif 000009
【図８】
2006028698.tif 000010
【図９】
2006028698.tif 000011
【図１０】
2006028698.tif 000012